(57)【特許請求の範囲】
【請求項１】
基礎床面に配設される支持部と、前記支持部上に載置されるパネルと、前記パネルを貫通して前記パネルと前記支持部とを固定する固定手段とを備え、
前記固定手段を、頭部と軸部とから構成し、
前記軸部の上部を前記支持部に固定される雄ネジ部が形成された下部よりも小径に形成し、
前記パネルを、コア材と、前記コア材の少なくとも上面に沿って設けられる鋼板とから構成し、
前記コア材に、前記固定手段の前記頭部を収納する凹部を上面に形成すると共に、前記凹部の略中央で上下に貫通して前記固定手段の前記軸部が挿通されるコア材挿通穴を形成し、
前記鋼板の前記コア材挿通穴に対応する位置に、前記固定手段を挿通される鋼板挿通穴を穿設し、
前記凹部内で且つ前記鋼板の下側に、前記固定手段が挿通される座部挿通穴が穿設されると共に、前記鋼板挿通穴の径より外径が大きい座部を配置し、
前記固定手段により前記パネルと前記支持部とを固定した状態で、前記座部挿通穴の径が、前記固定手段の前記雄ネジ部の外径以下で、且つ前記上部の径よりも大きいことを特徴とする二重床設備。
【請求項２】
前記固定状態において、前記頭部の押し込みによって前記鋼板が前記凹部内に屈曲され、前記屈曲部が前記座部の上面に当接することを特徴とする請求項１記載の二重床設備。
【請求項３】
前記座部挿通穴にスリットが形成されていることを特徴とする請求項１又は２記載の二重床設備。
【請求項４】
前記座部は金属製座金で形成され、前記コア材を木質系の材料で構成することを特徴とする請求項１〜３の何れかに記載の二重床設備。
【請求項５】
前記固定状態において、前記固定手段の押し込みにより前記座部が前記コア材挿通穴の方向に変形され、前記変形により、前記座部挿通穴の径を、前記固定手段の前記雄ネジ部の外径以下で、且つ前記上部の径よりも大きくすることを特徴とする請求項１〜４の何れかに記載の二重床設備。
【請求項６】
基礎床面に配設される支持部と、前記支持部上に載置されるパネルと、前記パネルを貫通して前記パネルと前記支持部とを固定する固定手段とを備え、
前記固定手段を、頭部と軸部とから構成し、
前記軸部の上部を前記支持部に固定される雄ネジ部が形成された下部よりも小径に形成し、
前記パネルを、コア材と、前記コア材の少なくとも上面に沿って設けられる鋼板とから構成し、
前記コア材に、前記固定手段の前記頭部を収納する凹部を上面に形成すると共に、前記凹部の略中央で上下に貫通して前記固定手段の前記軸部が挿通されるコア材挿通穴を形成し、
前記鋼板の前記コア材挿通穴に対応する位置に、前記固定手段を挿通される鋼板挿通穴を穿設し、
前記固定手段により前記パネルと前記支持部とを固定した状態で、前記頭部により前記鋼板の一部を前記凹部内に押し込み、前記押し込みにより前記鋼板挿通穴の径を、前記固定手段の前記雄ネジ部の外径以下で、且つ前記上部の径よりも大きくすることを特徴とする二重床設備。
【請求項７】
前記鋼板挿通穴の周囲に下方に垂下延設されている垂下部を有し、前記固定状態において前記垂下部が前記鋼板挿通穴の中心に向かって屈曲されていることにより前記鋼板挿通穴の径が縮小されていることを特徴とする請求項６記載の二重床設備。
【発明の詳細な説明】
【技術分野】
【０００１】
本発明は、基礎床面に配設する支持部上にパネルを載置し、パネルと支持部とを固定する二重床設備に関する。
【背景技術】
【０００２】
従来の二重床設備として、基礎床面に支持部を配設し、支持部にパネルを載置し、パネルと支持部とをボルトで固定する二重床設備が知られている（特許文献１参照）。斯様な二重床設備は、一般的にパネルと基礎床面との間を配線路空間とし、この配線路空間に複数の配線或いは配線器具類等を敷設するものであるが、フロアのレイアウト変更などを行う際に配線の引き直しを行う必要が生じ、その際にはパネルを取り外して配線の引き直しを行っている。
【０００３】
パネルを取り外して配線の引き直しを行う場合、特許文献１の二重床設備では、ボルトを外してパネルを支持部から取り外すが、この際に、外したボルトを無くしてしまうことや、ボルトを締め付けずにパネルを支持部に載置するだけで配線の引き直し作業を終了して、パネルの強度低下やパネルのガタツキを生ずることがある。
【０００４】
そのため、特許文献２の二重床設備では、パネルの固定用金具の抜け止めを行う技術が提案されている。特許文献２の二重床設備は、パネルに形成される取付用穴に遊嵌状に挿通されるパネル固定用金具に抜け止め具を有し、この抜け止め具を、パネル固定用金具の外周に取り付けられ取付用穴の内径より小径に形成されているリング部と、リング部からパネル固定用金具の挿入方向とは逆方向に延設され取付用穴を通過した後に元の状態に復元してパネルの裏面に引っかかる係止部とから構成するものである。
【先行技術文献】
【特許文献】
【０００５】
【特許文献１】特開平１−１４２１６８公報
【特許文献２】特開２００２−６１６２３公報
【発明の開示】
【発明が解決しようとする課題】
【０００６】
しかし、特許文献２の二重床設備では、パネル固定用金具に抜け止め具を取り付けるための作業が必要となり、必要な労力が増大する。また、パネル固定用金具の故障等でパネル固定用金具の取り外しが必要になった場合、パネルの上側からだけの作業ではパネル固定用金具を取り外すことができないため、煩雑な作業が必要となる。
【０００７】
本発明は上記課題に鑑み提案するものであり、パネルと支持部とを固定する固定手段が、通常のパネルを取り外す作業の際にパネルから外れることを防止できると共に、作業性に優れる二重床設備を提供することを目的とする。
【０００８】
また、本発明の別の目的は、パネルと支持部とを固定する固定手段が、通常のパネルを取り外す作業の際にパネルから外れることを防止できると共に、必要に応じてパネルの上側からの作業だけでパネルから固定手段を取り外すことができる二重床設備を提供することにある。
【課題を解決するための手段】
【０００９】
本発明の二重床設備は、基礎床面に配設される支持部と、前記支持部上に載置されるパネルと、前記パネルを貫通して前記パネルと前記支持部とを固定する固定手段とを備え、前記固定手段を、頭部と軸部とから構成し、前記軸部の上部を前記支持部に固定される下部よりも小径に形成し、前記パネルを、コア材と、前記コア材の少なくとも上面に沿って設けられる鋼板とから構成し、前記コア材に、前記固定手段の前記頭部を収納する凹部を上面に形成すると共に、前記凹部の略中央で上下に貫通して前記固定手段の前記軸部が挿通されるコア材挿通穴を形成し、前記鋼板の前記コア材挿通穴に対応する位置に、前記固定手段を挿通される鋼板挿通穴を穿設し、前記固定手段により前記パネルと前記支持部とを固定した状態で、前記頭部により前記鋼板の一部を前記凹部内に押し込み、前記押し込みにより前記鋼板挿通穴の径を、前記固定手段の前記下部の径以下で、且つ前記上部の径よりも大きくすることを特徴とする。軸部の下部の支持部への固定では、軸部の下部の外周に支持部に螺合される雄ネジ部を設けると好適である。
この構成によれば、鋼板挿通穴の径を固定手段の上部の径よりも大きくすることにより、固定手段を弛めてパネルを支持部から容易に取り外すことができると共に、鋼板挿通穴の径を固定手段の下部の径以下とすることにより、固定手段がパネルを取り外す作業の際にパネルから外れることを防止することができる。更に、頭部により鋼板の一部を凹部内に押し込んで構成できることから、作業性に非常に優れる。また、固定手段の故障等で固定手段の取り外しが必要になった場合には、固定手段を上方に持ち上げ、固定手段を外す方向に回転させること等により、パネルの上側からの作業だけでパネルから固定手段を取り外すことができる。
【００１０】
本発明の二重床設備は、前記鋼板挿通穴の周囲に下方に垂下延設されている垂下部を有し、前記固定状態において前記垂下部が前記鋼板挿通穴の中心に向かって屈曲されていることにより前記鋼板挿通穴の径が縮小されていることを特徴とする。
この構成によれば、鋼板挿通穴の径を固定手段の下部の径よりも容易且つ確実に小さくすることができる。
【００１１】
本発明の二重床設備は、基礎床面に配設される支持部と、前記支持部上に載置されるパネルと、前記パネルを貫通して前記パネルと前記支持部とを固定する固定手段とを備え、前記固定手段を、頭部と軸部とから構成し、前記軸部の上部を前記支持部に固定される下部よりも小径に形成し、前記パネルを、コア材と、前記コア材の少なくとも上面に沿って設けられる鋼板とから構成し、前記コア材に、前記固定手段の前記頭部を収納する凹部を上面に形成すると共に、前記凹部の略中央で上下に貫通して前記固定手段の前記軸部が挿通されるコア材挿通穴を形成し、前記鋼板の前記コア材挿通穴に対応する位置に、前記固定手段を挿通される鋼板挿通穴を穿設し、前記凹部内に、前記固定手段が挿通される座部挿通穴が穿設されている座部を配置し、前記固定手段により前記パネルと前記支持部とを固定した状態で、前記座部挿通穴の径が、前記固定手段の前記下部の径以下で、且つ前記上部の径よりも大きいことを特徴とする。軸部の下部の支持部への固定では、軸部の下部の外周に支持部に螺合される雄ネジ部を設けると好適である。
この構成によれば、座部挿通穴の径が固定手段の上部の径よりも大きいことにより、固定手段を弛めてパネルを支持部から容易に取り外すことができると共に、座部挿通穴の径が固定手段の下部の径以下とすることにより、固定手段がパネルを取り外す作業の際にパネルから外れることを防止することができる。更に、凹部内に配置されている座部の座部挿通穴に固定手段を挿通して構成できることから、作業性に非常に優れる。また、固定手段の故障等で固定手段の取り外しが必要になった場合には、固定手段を上方に持ち上げ、固定手段を外す方向に回転させること等により、パネルの上側からの作業だけでパネルから固定手段を取り外すことができる。
【００１２】
本発明の二重床設備は、前記固定状態において、前記頭部の押し込みによって前記鋼板が前記凹部内に屈曲され、前記屈曲部が前記座部の上面に当接することを特徴とする。
この構成によれば、固定手段の頭部の押し込みによって鋼板の屈曲部を座部の上面に当接することにより、座部を確実に位置決めして定置することができる。
【００１３】
本発明の二重床設備は、前記固定状態において、前記固定手段の押し込みにより前記座部が前記コア材挿通穴の方向に変形され、前記変形により、前記座部挿通穴の径を、前記固定手段の前記下部の径以下で、且つ前記上部の径よりも大きくすることを特徴とする。
この構成によれば、固定手段の押し込みにより、座部挿通穴の径を所要の径に簡単に設定することができる。
【００１４】
本発明の二重床設備は、前記コア材を木質系の材料で構成することを特徴とする。
この構成によれば、強度及び耐衝撃性と弾力性を兼ね備えるパネルを得ることができる。
【００１５】
本発明の二重床設備は、前記固定状態において、前記固定手段の前記頭部の上面と、前記鋼板の上面とを略同一平面状に配置することを特徴とする。
この構成によれば、二重床設備の上面を平坦で美しい仕上がりにすることができる。
【発明の効果】
【００１６】
本発明の二重床設備は、固定手段を弛めてパネルを支持部から容易に取り外すことができると共に、固定手段がパネルを取り外す作業の際にパネルから外れることを防止することができる。従って、パネルを取り外した後に、再度パネルを支持部上に取付け作業を行う場合に、固定手段の固定忘れを防止する、或いは固定手段の紛失を防止することが可能となり、長期に亘って高強度で、ガタツキのない二重床設備を提供することが可能となる。また、パネルを製造する工程において、単純な作業を追加するだけで構成することができ、作業性に非常に優れる。また、固定手段の故障等で固定手段の取り外しが必要になった場合には、例えば固定手段を上方に持ち上げ、固定手段を外す方向に回転させること等により、パネルの上側からの作業だけでパネルから固定手段を取り外すことができる。
【図面の簡単な説明】
【００１７】
【図１】（ａ）は本発明による第１実施形態の二重床設備の平面説明図、（ｂ）は同図（ａ）の二重床設備の側面説明図。
【図２】（ａ）は第１実施形態におけるパネルの分解状態を示す側面説明図、（ｂ）は第１実施形態におけるパネルの側面図。
【図３】（ａ）は第１実施形態におけるパネルの挿通穴の部分を示す部分平面図、（ｂ）は第１実施形態におけるパネルの挿通穴の部分を示す部分側面図、（ｃ）は同図（ａ）のＡ−Ａ断面図。
【図４】（ａ）は第１実施形態におけるパネルの挿通穴にビスを挿通する前の状態を示す部分断面図、（ｂ）はパネルの挿通穴にビスを挿入して固定する前の状態を示す部分断面図、（ｃ）はパネルの挿通穴にビスを挿入して固定した後の状態を示す部分断面図、（ｄ）は固定したビスを弛めた状態を示す部分断面図。
【図５】（ａ）は本発明による第２実施形態の二重床設備の平面説明図、（ｂ）は同図（ａ）の二重床設備の側面説明図。
【図６】第２実施形態におけるパネルの分解状態を示す側面説明図。
【図７】（ａ）は第２実施形態における座金の平面図、（ｂ）はその底面図、（ｃ）はその側面図、（ｄ）は同図（ａ）のＢ−Ｂ断面図、（ｅ）は第２実施形態におけるビスの正面図。
【図８】（ａ）は第２実施形態におけるパネルの挿通穴にビスを挿通する前の状態を示す部分断面図、（ｂ）はパネルの挿通穴にビスを挿入して固定する前の状態を示す部分断面図、（ｃ）はパネルの挿通穴にビスを挿入して固定した後の状態を示す部分断面図、（ｄ）は固定したビスを弛めた状態を示す部分断面図。
【図９】（ａ）は第３実施形態におけるパネルの挿通穴にビスを挿通する前の状態を示す部分断面図、（ｂ）はパネルの挿通穴にビスを挿入して固定する前の状態を示す部分断面図、（ｃ）はパネルの挿通穴にビスを挿入して固定した後の状態を示す部分断面図、（ｄ）は固定したビスを弛めた状態を示す部分断面図。
【図１０】（ａ）は図９（ａ）のＣ部の拡大図、（ｂ）は図９（ｄ）のＤ部の拡大図。
【発明を実施するための形態】
【００１８】
〔第１実施形態の二重床設備〕
本発明による第１実施形態の二重床設備について説明する。図１は第１実施形態の二重床設備を示す図、図２及び図３は第１実施形態におけるパネルを示す図、図４はそのパネルのビスによる固定を説明する図である。
【００１９】
第１実施形態の二重床設備は、図１に示すように、基礎床面１００に複数の支持部１０を所定間隔で配置し、その支持部１０上にパネル２０を載置し、パネル２０を貫通してパネル２０と支持部１０とを後述の固定手段で固定して構成され、パネル２０と基礎床面１００との間は、配線或いは配管、配線器具類などを敷設する空間となっている。
【００２０】
支持部１０は、基礎床面１００に載置される板状のベース部１１と、ベース部１１から立設するボルト１２と、平面視略方形の受板１３１の中央に下方にへこむ凹み部１３２が形成され、凹み部１３２がボルト１２に対して高さ調整可能に螺合されているパネル受座１３とから構成され、パネル受座１３の受板１３１にはパネル２０が載置される。パネル受座１３の受板１３１の四隅近傍には、後述する固定手段であるビス３０を取り付け可能な雌ネジ部１３３が形成されている。
【００２１】
パネル２０は、平面視方形であり、その四隅近傍にはビス３０を挿通可能な挿通穴２１が穿設されており、図２に示すように、コア材２２と、コア材２２の少なくとも上面に沿って設けられる鋼板２３とから構成され、コア材２２の上面に鋼板２３を接着剤などで貼り合わされている。
【００２２】
コア材２２には、ビス３０を挿通可能なコア材挿通穴２２１が穿設されており、コア材挿通穴２２１は後述の凹部２２２の略中央でコア材２２の上下に貫通して、ビス３０の軸部３２が挿通されるようになっている。コア材挿通穴２２１の上部或いはコア材２２の上面には、ビス３０の頭部３１を収納可能で、ビス３０の頭部３１の形状に合って下方に向かって徐々に狭まるテーパ状の凹部２２２が形成されており、ビス３０をコア材挿通穴２２１等の挿通穴２１に挿入してパネル２０を支持部１０に固定した際に、パネル２０の上面側にビス３０の頭部３１が突出しないように形成されている。コア材２２は、木質系の素材で形成すると好適であるが、コンクリート系、プラスチック系の素材等の適宜の素材で形成することが可能である。
【００２３】
鋼板２３は平板状であり、コア材挿通穴２２１に対応する位置にビス３０を挿通可能な鋼板挿通穴２３１が穿設されている。鋼板挿通穴２３１の周囲には、図２及び図３に示すように、鋼板２３を下方に屈曲延設してなる垂下部２３２と、垂下部２３２の下端を挿通穴の中心方向にテーパ状に屈曲して形成され、コア材２２の凹部２２２に沿った形状になっている係止部２３３とが設けられており、コア材２２と鋼板２３を貼り付けた場合に、鋼板２３の下面とコア材２２の凹部２２２との間に空間４０が形成されるようになっている。
【００２４】
尚、本例のパネル２０は、平面視方形としたが、その方形は長方形、正方形など適宜であり、又、その他に六角形など平面視多角形など適宜の形状とすることが可能である。また、コア材２２と鋼板２３を貼り合わせる接着剤には適宜のものを使用可能であり、例えば１液又は２液等の接着剤、或いは溶剤型、水性型、ホットメルト型、反応型又は感圧型等の接着剤、或いはアクリル系、フェノール系、メラミン樹脂系、酢酸ビニル系、塩化ビニル樹脂系、ユリア樹脂系、ポリスチレン樹脂系、ポリビニルアルコール系、シリコーン系、ウレタン系、エポキシ系、天然ゴム系等の接着剤等とすることが可能である。
【００２５】
パネル２０と支持部１０との固定手段であるビス３０は、図４に示すように、頭部３１と軸部３２とから構成される。軸部３２は、その外周に支持部１０の雌ネジ部１３３に螺合される雄ネジ部３３１が形成され、支持部１０に固定される下部３３と、雄ネジ部が形成されておらず、下部３３或いは下部３３の軸部３２よりも小径に形成されている上部３４とを有する。ビス３０の下部３３の長さは、パネル２０の底面からビス３０の下部３３が鋼板挿通穴２３１に引っかかるまでの長さよりも短く設定すると、確実にパネル２０を取り外すことができて好適である。また、頭部３１は、上部３４の上側に設けられ、下方に向かって細く窄まるテーパ状で、略截頭円錐形に形成されている。
【００２６】
鋼板挿通穴２３１の径α（係止部２３３を周縁とする鋼板挿通穴２３１の径α）は、ビス３０を挿入する前はビス３０の下部３３の径βよりも広く形成されている。そして、ビス３０を鋼板挿通穴２３１とコア材挿通穴２２１に挿通し、コア材２２の凹部２２２上で空間４０を形成している鋼板２３の一部である垂下部２３２、係止部２３３の部分にビス３０の頭部３１を当接して凹部２２２内に押し込むことにより、垂下部２３２が屈曲して垂下部２３２と係止部２３３が鋼板挿通穴２３１の中心に向かって延び、頭部３１のテーパ状の側面に倣う形状に変形し、鋼板挿通穴２３１の径α’がビス３０の下部３３の径βと同じか、或いは径βよりも僅か等で小さくなって縮小する。コア材挿通穴２２１から下方に突出するビス３０の雄ネジ部３３１は、支持部１０の雌ネジ部１３３に螺合して固定され、パネル２０と支持部１０が固定される。この固定状態において、ビス３０の頭部３１の上面と、鋼板２３の上面とは略同一平面状に配置される。
【００２７】
その後、パネル２０を支持部１０から取り外す際には、図４（ｄ）のように、雄ネジ部３３１を雌ネジ部１３３の螺合から外す。この際、変形した鋼板２３の形状は戻らないため、変形後の鋼板挿通穴２３１の径α’は、ビス３０の上部３４の径γよりも大きく形成され、ビス３０の上部３４は鋼板２３と干渉せずに径α’の鋼板挿通穴２３１内を進退自在になっているが、下部３３の径βは鋼板挿通穴２３１の径α’と同じか、大きいため、鋼板挿通穴２３１にビス３０の下部３３が引っかかって、パネル２０からビス３０が抜けることが防止される。
【００２８】
即ち、パネル２０を支持部１０上に載置し、ビス３０を挿通穴２１に挿入して固定する際には、ビス３０が干渉することなく支持部１０の受板１３１に固定することができると共に、配線の引き直しなどによりパネル２０を取り外す場合には、ビス３０を弛め、ビス３０のパネルからの抜け止めを図りつつ、パネル２０を支持部１０から取り外すことができる。
【００２９】
第１実施形態の二重床設備は、鋼板挿通穴２３１の径α’をビス３０の上部３４の径γよりも大きくすることにより、ビス３０を弛めてパネル２０を支持部１０から容易に取り外すことができると共に、鋼板挿通穴２３１の径α’をビス３０の下部３３の径β以下とすることにより、ビス３０がパネル２０を取り外す作業の際にパネル２０から外れることを防止することができ、ビス３０の紛失も確実に防止することができる。更に、頭部３１により鋼板２３の一部を凹部２２２内に押し込んで構成できることから、作業性に非常に優れる。また、垂下部２３２を屈曲する構成等により、鋼板挿通穴２３１の径をビス３０の下部３３の径βよりも容易且つ確実に小さくすることができる。
【００３０】
また、パネル２０を固定する際に、何ら干渉することなくビス３０にて固定することができるため、固定作業が容易且つスムーズとなる。また、固定後にパネル２０を取り外し、パネル２０をもとに戻す場合に単にパネル２０を支持部１０上に載置した状態では、ビス３０の頭部３１がパネル２０の上面から突出した状態になっていることから、ビス３０の閉め忘れが防止され、確実にビス３０によるパネル２０の固定を行うことができ、ガタツキを未然に防止することが可能となる。また、ビス３０の故障等でビス３０を外したい場合には、通常のビス３０の緩め作業とは異なる作業、つまり、ビス３０を上方に持ち上げ、ビス３０を外す方向へ回転し、抜け止め作用となる鋼板２３の部分にねじ山を入り込ませ、徐々に取り外すことが可能であり、パネル２０を破壊することなく、パネル２０の上側からの作業だけでビス３０を取り外すことが可能となる。
【００３１】
〔第２実施形態の二重床設備〕
次に、本発明による第２実施形態の二重床設備について、第１実施形態と異なる箇所の詳細を説明する。図５は第２実施形態の二重床設備を示す図、図６は第２実施形態におけるパネルを示す図、図７は第２実施形態における座金を示す図、図８はパネルのビスによる固定を説明する図である。
【００３２】
第２実施形態の二重床設備は、図５に示すように、第１実施形態と同様に、基礎床面１００ａに複数の支持部１０ａを所定間隔で配置し、その支持部１０ａ上にパネル２０ａを載置し、パネル２０ａを貫通してパネル２０ａと支持部１０ａとを後述の固定手段であるビス３０ａで固定して構成され、パネル２０ａと基礎床面１００ａとの間は、配線或いは配管、配線器具類などを敷設する空間となっている。
【００３３】
支持部１０ａは、基礎床面１００ａに載置される板状のベース部１１ａと、ベース部１１ａから立設するボルト１２ａと、平面視略方形の板部１３１ａの中央に下方にへこむ凹み部１３２ａ、その四隅近傍に樹脂製のスペーサ１３３ａが形成され、凹み部１３２ａがボルト１２ａに対して高さ調整可能に螺合されているパネル受座１３ａとから構成される。パネル受座１３ａの板部１３１ａの各辺近傍には、後述する固定手段であるビス３０ａを取り付け可能な雌ネジ部１３４ａが形成されている。パネル受座１３ａのスペーサ１３３ａは、パネル２０ａが載置され、パネル２０ａの位置合わせを行うことが可能な形状であり、パネル２０ａのビス３０ａを挿通可能な挿通穴２１ａと、パネル受座１３ａの雌ネジ部１３４ａとを平面視同一位置に確実に合わせることが可能になっている。
【００３４】
パネル２０ａは、平面視方形であり、その四隅近傍には支持部１０ａに固定するビス３０ａを挿通可能な挿通穴２１ａが穿設され、隣り合う２辺の所定箇所には配線引出用凹部２５ａが切り欠くようにして形成され、配線引出用凹部２５ａは各辺にそれぞれ２個ずつ、合計４個形成されている。また、パネル２０ａは、図６に示すように、コア材２２ａと、コア材２２ａの上面に沿って設けられる上側鋼板２３ａと、コア材２２ａの下面に沿って設けられる下側鋼板２４ａとから構成されており、上側鋼板２３ａと下側鋼板２４ａがコア材２２ａの上下面に重ねて配置され、接着剤の接着等でコア材２２ａに固着されている。
【００３５】
コア材２２ａは、例えば木質系とし、ユーカリ材の単板を複数枚重ね、それぞれを接着剤などで接着してなるユーカリ材の積層板で構成し、そこに上側鋼板２３ａと下側鋼板２４ａとを固着したユーカリ鋼板すると好適である。ユーカリ材は、多数種存在するが、とりわけ最適なものは、オーストラリアの寒い地方のタスマニア島に生育されたものが好ましく、強度、特に耐衝撃性に優れたフロアパネルを製作することが可能となる。また、単板の重ね合わせでコア材２２ａを構成する場合、各単板の繊維の目を相互に互い違いにすると、より強度が増して好適である。また、各単板を薄くし、枚数を増やすと、強度がより一層増して好適である。単板の枚数は適宜であるが、３枚以上１９枚以下とすると好ましく、７枚から９枚がフロアパネルの厚さ或いは強度を考慮するとより好適である。また、コア材２２ａの比重としては０．７０以上０．８５以下が好適であり、タスマニア産のユーカリがこの比重の範囲内に含まれ、強度アップを実現している。
【００３６】
コア材２２ａは、上面２２１ａと、上面２２１ａよりも平面視面積が小さい下面２２２ａと、周面２２３ａとを有し、その周面２２３ａは、上面２２１ａから略垂直に下がる上側垂下面２２４ａと、上側垂下面２２４ａから下に行くに従って内方に向かうテーパ面２２５ａと、テーパ面２２５ａの下端から略垂直に下がる下側垂下面２２６ａとから構成される。コア材２２ａの四隅近傍には、ビス３０ａを挿通可能なコア材挿通穴２２７ａが穿設されており、コア材挿通穴２２７ａは、第１実施形態と同様に形成されるビス３０ａの頭部３１ａを収納可能な凹部２２８ａの略中央でコア材２２ａの上下に貫通して、ビス３０ａの軸部３２ａが挿通されるようになっている。コア材挿通穴２２７ａの上部或いはコア材２２ａの上面に設けられる凹部２２８ａは、ビス３０ａの頭部３１ａの形状に合って下方に向かって徐々に狭まるテーパ状であり、ビス３０ａをコア材挿通穴２２７ａ等の挿通穴２１ａに挿入してパネル２０ａを支持部１０ａに固定した際に、パネル２０ａの上面側にビス３０ａの頭部３１ａが突出しないように形成されている。また、配線引出用凹部２５ａに対応する箇所に、これに対応する凹部がそれぞれ形成されている（図示省略）。
【００３７】
上側鋼板２３ａは、平面視略方形で、コア材２２ａの上面が沿う基面２３１ａと、基面２３１ａから四辺において立ち下がり、下側鋼板２４ａの後述する上側立上面２４４ａの外面に当接するように垂下して形成されている垂下面２３２ａとを有する。基面２３１ａの四隅近傍には、コア材挿通穴２２７ａに対応する位置にビス３０ａを挿通可能な上側鋼板挿通穴２３３ａが穿設されており、又、配線引出用凹部２５ａに対応する箇所に、これに対応する凹部がそれぞれ形成されている（図示省略）。
【００３８】
下側鋼板２４ａは、平面視略方形で、コア材２２ａの底面に沿う基面２４１ａと、基面２４１ａから四辺において立ち上がり、コア材２２ａの下側垂下面２２６ａに沿う下側立上面２４２ａと、下側立上面２４２ａの上端を外方に拡開させ、コア材２２ａのテーパ面２２５ａに沿うように形成されている拡開テーパ面２４３ａと、拡開テーパ面２４３ａの上端で略垂直に立ち上がり、コア材２２ａの上側垂下面２２４ａに沿うように形成されている上側立上面２４４ａとを有し、四隅においてはそれぞれの面を有さない切欠部２４５ａが形成されている。基面２４１ａの四隅近傍には、コア材挿通穴２２７ａに対応する位置にビス３０ａを挿通可能な下側鋼板挿通穴２４６ａが穿設されており、又、配線引出用凹部２５ａに対応する箇所に、これに対応する凹部がそれぞれ形成されている（図示省略）。
【００３９】
コア材２２ａの上面に設けられているビス３０ａの頭部３１ａを収納する凹部２２８ａには、図７及び図８に示す金属製の座金５０ａが配置され収納されている。座部に相当する座金５０ａは皿状で、凹部２２８ａに対応する形状で丁度入り込むようになっており、凹部２２８ａのテーパ面に沿うテーパ状の側面５１ａを有し、上面と下面が開放され、上面開放部５２ａとビス３０が挿通される座部挿通穴に相当する下面開放部５３ａとが設けられている。下面開放部５３ａには十字状の四方向に向かってスリット５４ａが形成されている。
【００４０】
座金５０ａを凹部２２８ａに収納配置する際には、コア材２２ａの下面に下側鋼板２４ａを貼り付けると共に、凹部２２８ａ内に座金５０ａを配置し、上側鋼板２３ａをコア材２２ａに貼り付ける。この状態において、座金５０ａは凹部２２８ａに丁度入り込み、座金５０ａの移動を防止することが可能な構成になっている。尚、凹部２２８ａ内に接着剤を塗って座金５０ａを配置し、その後に上側鋼板２３ａ等を貼り付けることにより、座金５０ａをより安定して固定する構成としてもよい。
【００４１】
パネル２０ａと支持部１０ａとの固定手段であるビス３０ａは、図７に示すように、頭部３１ａと軸部３２ａとから構成される。軸部３２ａは、その外周に支持部１０ａの雌ネジ部１３４ａに螺合される雄ネジ部３３１ａが形成され、支持部１０ａに固定される下部３３ａと、雄ネジ部が形成されておらず、下部３３ａ或いは下部３３ａの軸部３２ａよりも小径に形成されている上部３４ａとを有する。ビス３０ａの下部３３ａの径βは、座金５０ａの下面開放部５３ａの径δと略同一径で形成され、上部３４ａの径γは、下部開放部５３ａの径δよりも小径で形成されている。ビス３０ａの下部３３ａの長さは、パネル２０ａの底面からビス３０ａの下部３３ａが座金５０ａの下端に引っかかるまでの長さよりも短く設定すると、確実にパネル２０ａを取り外すことができて好適である。また、頭部３１ａは、上部３４ａの上側に設けられ、下方に向かって細く窄まるテーパ状で、略截頭円錐形に形成されている。
【００４２】
パネル２０ａを支持部１０ａに固定する場合、図８に示すように、上側鋼板２３ａの上側鋼板挿通穴２３３ａからビス３０ａを挿通し、ビス３０ａの雄ネジ部３３１ａを座金５０ａの下面開放部５３ａをねじ切るようにして入り込ませ、径γのビス３０ａの上部３４ａが座金５０ａと干渉しない状態とし、雄ネジ部３３１ａをパネル受座１３ａの雌ネジ部１３４ａにねじ込む。この際、ビス３０ａの頭部３１ａが座金５０ａの側面内側に当接することにより、座金５０ａがコア材２２ａに食い込むと共に、ビス３０ａの頭部３１ａが鋼板に相当する上側鋼板２３ａを押し込んで凹部２２８ａ内に屈曲し、その屈曲部が座金５０ａの側面内側或いは上面に当接するように変形し、上側鋼板２３ａで座金５０ａを押さえ込む。
【００４３】
この固定状態において、ビス３０ａの頭部３１ａの上面と、上側鋼板２３ａの上面とは略同一平面状に配置される。ビス３０ａでパネル２０ａと支持部１０ａとを固定した状態においては、座部挿通穴に対応する下面開放部５３ａの径δは、ビス３０ａの下部３３ａの径β以下で、且つ上部３４ａの径γよりも大きくなっている。
【００４４】
その後、パネル２０ａを支持部１０ａから取り外す際には、図４（ｄ）のように、雄ネジ部３３１ａを雌ネジ部１３４ａの螺合から外す。この際、ビス３０ａの上部３４ａは座金５０ａと干渉せずに進退自在になっているが、座金５０ａの下面開放部５３ａの周縁に略同一径であるビス３０ａの下部３３ａが引っかかり、ビス３０ａの抜け止め効果を発揮することができる。
【００４５】
第２実施形態の二重床設備は、座部挿通穴である下面開放部５３ａの径δがビス３０ａの上部３４ａの径γよりも大きいことにより、ビス３０ａを弛めてパネル２０ａを支持部１０ａから容易に取り外すことができると共に、座部挿通穴である下面開放部５３ａの径δがビス３０ａの下部３３ａの径β以下とすることにより、ビス３０ａがパネル２０ａを取り外す作業の際にパネル２０ａから外れることを防止することができ、ビス３０ａの紛失も確実に防止することができる。
【００４６】
また、固定後にパネル２０ａを取り外し、パネル２０ａをもとに戻す場合に単にパネル２０ａを支持部１０ａ上に載置した状態では、ビス３０ａの頭部３１ａがパネル２０ａの上面から突出した状態になっていることから、ビス３０ａの閉め忘れが防止され、確実にビス３０ａによるパネル２０ａの固定を行うことができ、ガタツキを未然に防止することが可能となる。
【００４７】
また、座金５０ａを上側鋼板２３ａにより確実に位置決め及び押さえつけることができるため、座金５０ａの移動を確実に防止できる。また、コア材２２ａを木質系など柔らかい材質とし、且つインパクトドライバー等で固定、特に高トルク値で締付け固定する場合には、座金５０ａの存在によりビス３０ａの頭部３１ａがコア材２２ａ内に入り込むことを防止することが可能となる。また、ビス３０ａの故障等でビス３０ａを外したい場合には、通常のビス３０ａの緩め作業とは異なる作業、つまり、ビス３０ａを上方に持ち上げ、ビス３０ａを外す方向へ回転し、抜け止め作用となる座金５０ａにねじ山を入り込ませ、徐々に取り外すことが可能であり、パネル２０ａを破壊することなく、パネル２０ａの上側からの作業だけでビス３０ａを取り外すことが可能となる。
【００４８】
〔第３実施形態の二重床設備〕
次に、本発明による第３実施形態の二重床設備について、第２実施形態と異なる箇所の詳細を説明する。図９及び図１０は第３実施形態におけるパネルのビスによる固定を説明する図である。
【００４９】
第３実施形態の二重床設備は、第２実施形態における座金５０ａに代えて、図９及び図１０に示すように、座部として樹脂製の座金５０ｂを用いるものであり、その他の構成は第２実施形態と同一である。座金５０ｂは、ビス３０ａが収納される凹部２２８ａのテーパ面よりも傾斜のある下部テーパ側面５１ｂと、凹部２２８ａのテーパ面よりも傾斜があり且つ下部テーパ側面５１ｂよりも傾斜の緩い上部テーパ側面５２ｂとを有し、上下に開放して上面開放部５３ｂと座部挿通穴に相当する下面開放部５４ｂとが設けられている。
【００５０】
座金５０ｂは、座金５０ａと同様に配置され、ビス３０ａを挿通される。そして、ビス３０ａの頭部３１ａが凹部２２８ａに入る際に、座金５０ｂの上部テーパ側面５２ｂを外方に押圧し、その結果、下部テーパ側面５１ｂ及び下面開放部５４ｂが内方（コア材挿通穴２２１の方向）に変形し、下面開放部５４ｂの穴径が小さくなる。下面開放部５４ｂのビス３０ａによる押圧前の穴径は径εで、ビス３０ａの上部３４ａの径γ、下部３３ａの径βの径より大径であるが、押圧後の下面開放部５４ｂの径ε’は、ビス３０ａの上部３４ａの径γより大径で、下部３３ａの径βの径より小径或いは同一径となる（ε＞β≧ε´＞γ）。この変形は、頭部３１ａの押圧により、上側鋼板２３ａが変形して上部テーパ面５２ｂに沿って当接するよう変形することにより、上側鋼板２３ａで押さえ込まれて維持される。
【００５１】
第３実施形態では、第２実施形態の効果に加え、ビス３０ａの押し込みにより、樹脂製の座金５０ｂの下面開放部５４ｂの径を所要の径に簡単に設定することができる。
【００５２】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記のような変形例も包含される。
【００５３】
例えば第１実施形態の鋼板挿通穴２３１に、第２実施形態におけるスリット５４ａに相当するスリットを設ける構成、或いは第２実施形態でスリット５４ａを設けない構成、或いは第３実施形態の樹脂製の座金５０ｂにスリット５４ａに相当するスリットを設ける構成等とすることが可能である。また、スリットを設ける場合のスリットの数は適宜であり、又、スリットの配置位置は適宜であるが、等間隔とすると好ましい。
【００５４】
また、上記実施形態では、固定手段としてビス３０、３０ａを用いる場合について説明したが、固定手段はビス３０、３０ａに限定されるものではなく、例えばパネル２０と支持部１０とを固定可能なボルトなど適宜である。
【００５５】
また、鋼板挿通穴２３１等の穴径、コア材挿通穴２２１等の穴径は、ビス３０の下部３３等の径より大きいと、ビス３０等の挿通作業が容易となり、作業性が向上して好適である。また、鋼板挿通穴２３１を予め設けずに、ビスをセルフドリリングビスにして対応することも可能であり、これにより、穴あけ加工を省くことができ、コストダウンに繋がる。
【００５６】
また、支持部１０等は高さ調整可能なものに限定されず、公知の高さ固定の支持部とすることも可能である。また、支持部１０とパネル２０等との間に緩衝材などを設けると、パネル上の歩行音をより一層確実に抑えることが可能となって好適である。
【産業上の利用可能性】
【００５７】
本発明は、例えばパネルと基礎床面との間の空間に配線或いは配線器具類等を敷設する二重床設備として利用することができる。
【符号の説明】
【００５８】
１０、１０ａ…支持部  １１、１１ａ…ベース部  １２、１２ａ…ボルト  １３、１３ａ…パネル受座  １３１…受板  １３１ａ…板部  １３２、１３２ａ…凹み部  １３３…雌ネジ部  １３３ａ…スペーサ  １３４ａ…雌ネジ部
２０、２０ａ…パネル  ２１、２１ａ…挿通穴  ２２、２２ａ…コア材  ２２１…コア材挿通穴  ２２２…凹部  ２２１ａ…上面  ２２２ａ…下面  ２２３ａ…周面  ２２４ａ…上側垂下面  ２２５ａ…テーパ面  ２２６ａ…下側垂下面  ２２７ａ…コア材挿通穴  ２２８ａ…凹部  ２３…鋼板  ２３１…鋼板挿通穴  ２３２…垂下部  ２３３…係止部  ２３ａ…上側鋼板  ２３１ａ…基面  ２３２ａ…垂下面  ２３３ａ…上側鋼板挿通穴  ２４ａ…下側鋼板  ２４１ａ…基面  ２４２ａ…下側立上面  ２４３ａ…拡開テーパ面  ２４４ａ…上側立上面  ２４５ａ…切欠部  ２４６ａ…下側鋼板挿通穴  ２５ａ…配線引出用凹部  ３０、３０ａ…ビス  ３１、３１ａ…頭部  ３２、３２ａ…軸部  ３３、３３ａ…下部  ３３１、３３１ａ…雄ネジ部  ３４、３４ａ…上部  ４０…空間  ５０ａ、５０ｂ…座金  ５１ａ…側面  ５１ｂ…下部テーパ側面  ５２ｂ…上部テーパ側面  ５２ａ、５３ｂ…上面開放部  ５３ａ、５４ｂ…下面開放部  ５４ａ…スリット  １００、１００ａ…基礎床面  α、α’…鋼板挿通穴２３１の径  β…ビス３０、３０ａの下部３３、３３ａの径  γ…ビス３０、３０ａの上部３４、３４ａの径  δ…座金５０ａの下部開放部５３ａの径  ε…座金５０ｂの下面開放部５４ｂの押圧前の穴径  ε’…座金５０ｂの下面開放部５４ｂの押圧後の穴径
【図１】
0005791238.tif 000002
【図２】
0005791238.tif 000003
【図３】
0005791238.tif 000004
【図４】
0005791238.tif 000005
【図５】
0005791238.tif 000006
【図６】
0005791238.tif 000007
【図７】
0005791238.tif 000008
【図８】
0005791238.tif 000009
【図９】
0005791238.tif 000010
【図１０】
0005791238.tif 000011